(57)【特許請求の範囲】
【請求項１】
第1の基地局を介して、第1の通信方式を実行する第1の通信手段と、
第２の基地局に対するセルサーチを実行するとともに、当該セルサーチによりサーチされた前記第２の基地局を介して、前記第1の通信方式と異なる第２の通信方式を実行する第２の通信手段と、
前記第1の通信手段により、前記第２の基地局から送信される先頭データの送信タイミング、および前記第1の基地局における伝搬遅延量が受信されると、前記受信された送信タイミングおよび伝搬遅延量に基づいて、セルサーチの開始時間を設定し、当該開始時間から前記第２の通信手段によるセルサーチを行うよう制御する制御手段と
を備える携帯通信端末。
【請求項２】
前記第２の基地局のセルサイズ情報に基づいて、前記第２の基地局における最大伝搬遅延時間を算出する算出手段をさらに備え、
前記第２の通信手段は、前記算出手段により算出された最大伝搬遅延時間に基づいてセルサーチ時間の終了時間を決定し、当該終了時間までセルサーチを実行することを特徴とする請求項１に記載の携帯通信端末。
【請求項３】
前記第２の基地局からセルサイズ情報に基づいた最大伝搬遅延時間を取得する取得手段をさらに備え、
前記第２の通信手段は、前記取得手段により取得された最大伝搬遅延時間に基づいてセルサーチ時間の終了時間を決定し、当該終了時間までセルサーチを実行することを特徴とする請求項１または２に記載の携帯通信端末。
【請求項４】
前記第１の基地局に対して、第２の通信方式を実行可能であることを示す機能情報を通知する通知手段をさらに備え、
前記第1の基地局は、前記通知手段による通知に応じて、前記第２の基地局の先頭データの送信タイミング、および前記第1の基地局における伝搬遅延量を送信することを特徴とする請求項１から３のいずれか１項に記載の携帯通信端末。
【請求項５】
第1の基地局を介して、第1の通信方式を実行する第1の通信手段と、
第２の基地局に対するセルサーチを実行するとともに、当該セルサーチによりサーチされた前記第２の基地局を介して、前記第1の通信方式と異なる第２の通信方式を実行する第２の通信手段と、
前記第１の基地局および第２の基地局における計時タイミングと同期させる同期手段と、
前記第1の通信手段により受信された先頭データの送信時刻および前記同期手段により同期された時刻情報、ならびに前記第１の通信手段により受信された送信タイミング若しくは予め定められた送信タイミングに基づいてセルサーチ時の開始時間を設定し、前記第２の通信手段によるセルサーチを行うよう制御する制御手段と
を備える携帯通信端末。
【請求項６】
請求項１から５のいずれか１項に記載の携帯通信端末と、第１の通信方式を実行可能な第１の基地局と、第２の通信方式を実行可能な第２の基地局と、から構成される通信システム。
【請求項７】
第1の基地局を介して、第1の通信方式を実行する第1の通信手段と、第２の基地局に対するセルサーチを実行するとともに、当該セルサーチによりサーチされた前記第２の基地局を介して、前記第1の通信方式と異なる第２の通信方式を実行する第２の通信手段と、を備える携帯通信端末におけるハンドオーバ方法において、
前記第1の通信手段において、前記第２の基地局から送信される先頭データの送信タイミング、および前記第1の基地局における伝搬遅延量を受信する受信ステップと、
前記受信ステップにおいて受信された送信タイミングおよび伝搬遅延量に基づいて、セルサーチの開始時間を設定し、当該開始時間から前記第２の通信手段によるセルサーチを行うセルサーチステップと、
を備えるハンドオーバ方法。
【請求項８】
第1の基地局を介して、第1の通信方式を実行する第1の通信手段と、第２の基地局に対するセルサーチを実行するとともに、当該セルサーチによりサーチされた前記第２の基地局を介して、前記第1の通信方式と異なる第２の通信方式を実行する第２の通信手段と、を備える携帯通信端末におけるハンドオーバ方法において、
前記第１の基地局および第２の基地局における計時タイミングと同期させる同期ステップと、
前記第1の通信手段において受信された先頭データの送信時刻を少なくとも受信する受信ステップと、
前記受信ステップにおいて受信された送信時刻および前記同期ステップにおいて同期された時刻情報、ならびに前記第１の通信手段により受信された送信タイミング若しくは予め定められた送信タイミングに基づいてセルサーチ時の開始時間を設定し、前記第２の通信手段によるセルサーチを行うセルサーチステップと、
を備えるハンドオーバ方法。
【発明の詳細な説明】
【技術分野】
【０００１】
本発明は、ハンドオーバを行う携帯通信端末、通信システムおよびハンドオーバ方法に関する。
【背景技術】
【０００２】
携帯通信端末では、一の基地局から他の基地局にその通信を切り替えるハンドオーバ処理を行っており、そのハンドオーバ処理に先立って、他の基地局をサーチするためのセルサーチを行っている。
【０００３】
例えば、下記特許文献１（特開２００６−２８７６６３号公報）には、セルサーチ時間を短縮し、移動局の消費電力を低減するために、基地局から通知される送信タイミング差に基づいてセルサーチ範囲を限定してセルサーチを行うことが記載されている。
【特許文献１】特開２００６−２８７６６３号公報
【発明の開示】
【発明が解決しようとする課題】
【０００４】
しかしながら、特許文献１においては、基地局から移動局に対する伝搬遅延については考慮されておらず、効率的なセルサーチに限界があった。
【０００５】
そこで、上述の課題を解決するために、本発明では、より効率的にセルサーチを行うことができる携帯通信端末、通信システムおよびハンドオーバ方法を提供することを目的とする。
【課題を解決するための手段】
【０００６】
上述の課題を解決するために、本発明の携帯通信端末は、第1の基地局を介して、第1の通信方式を実行する第1の通信手段と、第２の基地局に対するセルサーチを実行するとともに、当該セルサーチによりサーチされた前記第２の基地局を介して、前記第1の通信方式と異なる第２の通信方式を実行する第２の通信手段と、前記第1の通信手段により、前記第２の基地局から送信される先頭データの送信タイミング、および前記第1の基地局における伝搬遅延量が受信されると、前記受信された送信タイミングおよび伝搬遅延量に基づいて、セルサーチの開始時間を設定し、当該開始時間から前記第２の通信手段によるセルサーチを行うよう制御する制御手段とを備えている。
【０００７】
この発明によれば、第1の通信手段により、第２の通信手段の先頭データの送信タイミング、および第1の通信手段における伝搬遅延量が受信されると、受信された送信タイミングおよび伝搬遅延量に基づいて、セルサーチの開始時間を設定し、当該開始時間から第２の通信手段によるセルサーチを行うことができる。これにより、セルサーチ時間を制限することができ、セルサーチに要する電力消費およびＣＰＵ負荷を低減することができる。
【０００８】
また、本発明の携帯通信端末は、前記第２の基地局のセルサイズ情報に基づいて、前記第２の基地局における最大伝搬遅延時間を算出する算出手段をさらに備え、前記第２の通信手段は、前記算出手段により算出された最大伝搬遅延時間に基づいてセルサーチ時間の終了時間を決定し、当該終了時間までセルサーチを実行することが好ましい。
【０００９】
この発明によれば、算出された最大伝搬遅延時間に基づいてセルサーチ時間の終了時間を決定し、当該終了時間までセルサーチを実行することにより、セルサーチ時間を制限することができ、セルサーチに要する電力消費およびＣＰＵ負荷を低減することができる。
【００１０】
また、本発明の携帯通信端末は、前記第２の基地局からセルサイズ情報に基づいた最大伝搬遅延時間を取得する取得手段をさらに備え、前記第２の通信手段は、前記取得手段により取得された最大伝搬遅延時間に基づいてセルサーチ時間の終了時間を決定し、当該終了時間までセルサーチを実行することが好ましい。
【００１１】
この発明によれば、取得された最大伝搬遅延時間に基づいてセルサーチ時間の終了時間を決定し、当該終了時間までセルサーチを実行することにより、セルサーチ時間を制限することができ、セルサーチに要する電力消費およびＣＰＵ負荷を低減することができる。
【００１２】
また、本発明の携帯通信端末は、前記第１の基地局に対して、第２の通信方式を実行可能であることを示す機能情報を通知する通知手段をさらに備え、前記第1の基地局は、前記通知手段による通知に応じて、前記第２の基地局の先頭データの送信タイミング、および前記第1の基地局における伝搬遅延量を送信することが好ましい。
【００１３】
この発明によれば、前記第１の基地局に対して、第２の通信方式を実行可能であることを示す機能情報を通知することができ、第１の基地局はこれに基づいて各種情報を携帯通信端末に送信することができる。よって、必要な端末にのみセルサーチを短縮化させるための情報を通知することができ、効率的な処理を実現することができる。
【００１４】
また、本発明の携帯通信端末は、第1の基地局を介して、第1の通信方式を実行する第1の通信手段と、第２の基地局に対するセルサーチを実行するとともに、当該セルサーチによりサーチされた前記第２の基地局を介して、前記第1の通信方式と異なる第２の通信方式を実行する第２の通信手段と、前記第１の基地局および第２の基地局における計時タイミングと同期させる同期手段と、前記第1の通信手段により受信された先頭データの送信時刻および前記同期手段により同期された時刻情報、ならびに前記第１の通信手段により受信された送信タイミング若しくは予め定められた送信タイミングに基づいてセルサーチ時の開始時間を設定し、前記第２の通信手段によるセルサーチを行うよう制御する制御手段とを備えている。
【００１５】
この発明によれば、第1の通信手段により受信された先頭データの送信時刻および第２の基地局から送信される先頭データの送信タイミングが受信されると、当該受信された送信時刻および同期された時刻情報ならびに受信され若しくは予め定められた送信タイミングに基づいてセルサーチの開始時間を設定し、第２の通信手段によるセルサーチを行うよう制御する。これにより、伝播遅延を考慮する必要がなくなり、処理を簡易なものとすることができる。また、セルサーチ時間を制限することができ、セルサーチに要する電力消費およびＣＰＵ負荷を低減することができる。
【００１６】
ところで、本発明は、上記のように携帯通信端末の発明として記述できる他に、以下のように、通信システム、ハンドオーバ方法の発明としても記述することができる。これらはカテゴリーが異なるだけで、実質的に同一の発明であり、同様の作用・効果を奏する。
【００１７】
すなわち、本発明の通信システムは、上記の携帯通信端末と、第１の通信方式を実行可能な第１の基地局と、第２の通信方式を実行可能な第２の基地局と、から構成されている。
【００１８】
また、本発明のハンドオーバ方法は、第1の基地局を介して、第1の通信方式を実行する第1の通信手段と、第２の基地局に対するセルサーチを実行するとともに、当該セルサーチによりサーチされた前記第２の基地局を介して、前記第1の通信方式と異なる第２の通信方式を実行する第２の通信手段と、を備える携帯通信端末におけるハンドオーバ方法において、前記第1の通信手段において、前記第２の基地局から送信される先頭データの送信タイミング、および前記第1の基地局における伝搬遅延量を受信する受信ステップと、前記受信ステップにおいて受信された送信タイミングおよび伝搬遅延量に基づいて、セルサーチの開始時間を設定し、当該開始時間から前記第２の通信手段によるセルサーチを行うセルサーチステップと、を備えている。
【００１９】
また、本発明のハンドオーバ方法は、第1の基地局を介して、第1の通信方式を実行する第1の通信手段と、第２の基地局に対するセルサーチを実行するとともに、当該セルサーチによりサーチされた前記第２の基地局を介して、前記第1の通信方式と異なる第２の通信方式を実行する第２の通信手段と、を備える携帯通信端末におけるハンドオーバ方法において、前記第１の基地局および第２の基地局における計時タイミングと同期させる同期ステップと、前記第1の通信手段において受信された先頭データの送信時刻をを少なくとも受信する受信ステップと、前記受信ステップにおいて受信された送信時刻および前記同期ステップにおいて同期された時刻情報、ならびに前記第１の通信手段により受信された送信タイミング若しくは予め定められた送信タイミングに基づいてセルサーチ時の開始時間を設定し、前記第２の通信手段によるセルサーチを行うセルサーチステップと、を備えている。
【発明の効果】
【００２０】
本発明によれば、セルサーチ時間を制限することができ、セルサーチに要する電力消費およびＣＰＵ負荷を低減することができる。
【発明を実施するための最良の形態】
【００２１】
添付図面を参照しながら本発明の実施形態を説明する。可能な場合には、同一の部分には同一の符号を付して、重複する説明を省略する。
【００２２】
図１は、本実施形態における通信システム１０の概念を示す概念図である。図１に示すように、通信システム１０は、いわゆる３Ｇ（3RD GENERATION）通信エリア、すなわち移動体通信網を構成する３Ｇ基地局２００と、ＷｉＭＡＸ（worldwide interoperability for microwaveaccess）の通信エリアを構成するＷｉＭＡＸ基地局３００とから構成されている。携帯通信端末１００は、３Ｇ通信方式と、ＷｉＭＡＸ通信方式との両方の通信方式を実行することができるものであり、通信エリアに応じてそれぞれの通信方式を切り替えて通信することができる。例えば、携帯通信端末１００は、矢印ａで示すように３Ｇ通信エリアからＷｉＭＡＸ通信エリアに移動すると、３Ｇ通信方式からＷｉＭＡＸ通信方式に切り替える処理を行う。
【００２３】
すなわち、携帯通信端末１００は、３Ｇ基地局２００と接続することにより移動体通信網を利用した通信を行っており、ＷｉＭＡＸの通信エリアに移動すると、ＷｉＭＡＸ基地局３００に対してハンドオーバ処理を行い、通信接続することにより、ＷｉＭＡＸによる通信を実行することができる。ハンドオーバ処理は、ＷｉＭＡＸ基地局３００からの通知に基づいて、セルサーチを行うことにより実行される。以下、その概要について説明する。
【００２４】
まず、その前提となる、３Ｇ通信方式における送信タイミングと、ＷｉＭＡＸ通信方式における送信タイミングとについて説明する。図２は、３Ｇ通信方式の送信タイミングと、ＷｉＭＡＸ通信方式の送信タイミングとの関係を示す説明図である。３Ｇ通信方式を実行する３Ｇ基地局２００と、ＷｉＭＡＸ通信方式を実行する、ＷｉＭＡＸ基地局３００とは、図２に示すようにそれぞれ異なるデータ形態をとるものである。
【００２５】
すなわち、図２（ｂ）に示すように３Ｇ基地局２００は、３Ｇ通信方式を実行するものであり、それぞれ、ダウンリンクとアップリンクとを個別に行っている。一方、図２（ａ）に示すように、ＷｉＭＡＸ基地局３００は、ＷｉＭＡＸ通信方式によりデータを送信し、アップリンクと、ダウンリンクとを交互に行っている。図２から明らかな通り、３Ｇ通信方式とＷｉＭＡＸ通信方式とでは、ダウンリンクおよびアップリンクにおける先頭のフレーム位置において時間的なずれである時間差Δｔｏｆｆが生じている。よって、携帯通信端末１００が３Ｇ通信エリアからＷｉＭＡＸ通信エリアに移動し、ハンドオーバ処理を行って、基地局の切換処理を行ったとしても、そのずれの分だけ切換処理を待つことになる。すなわち、ＷｉＭＡＸ通信方式にハンドオーバ処理をする際には、切換先となる基地局をサーチするためのセルサーチを行う必要があるが、このセルサーチによってＷｉＭＡＸ通信方式における各フレームの先頭（プリアンブル部分）を検出することによって、ハンドオーバ処理が実行されるものであるため、上述のずれが大きければ大きいほど、セルサーチを長い時間行うことになる。この長時間セルサーチを行うと、電力の消耗、ＣＰＵ負荷などがかかり、好ましくはない。本実施形態では、このセルサーチを効率的に行おうとするものであり、そのずれの分だけ遅くセルサーチを開始しようとするものである。
【００２６】
このずれの分だけ遅くセルサーチを行うため、３Ｇ基地局２００から携帯通信端末１００に対して、時間差Δｔｏｆｆを通知することで、携帯通信端末１００は、３Ｇ通信方式で受信した先頭フレームを基準にΔｔｏｆｆ分だけ遅くセルサーチを開始することができる。ここでは、３Ｇ通信方式による先頭フレームの時間的な位置をｔ０と表す。
【００２７】
ところで、３Ｇ基地局２００から携帯通信端末１００に対して送信される送信フレームに対して伝搬遅延が生じることが一般的に知られている。本実施形態では、さらにこの伝搬遅延に基づいてセルサーチの開始時間を遅らせることができる。図３に伝搬遅延の概念を示す説明図を示す。図３（ａ）は、３Ｇ基地局２００およびＷｉＭＡＸ基地局３００における実際の送信タイミングを示し、図３（ｂ）は、携帯通信端末１００における実際の受信タイミングを示す。図３（ａ）に示すように、３Ｇ基地局２００から送信されたフレーム（３Ｇフレーム）の先頭位置を示す送信タイミングｔ０に対して、基地局３００から送信されるフレーム（ＷｉＭＡＸフレーム）の先頭位置はｔ０＋Δｔｏｆｆとなる。
【００２８】
さらに伝搬遅延により、図３（ｂ）に示すように、携帯通信端末１００においてはそれぞれ伝搬遅延時間Ｔｄｅｌａｙ１だけ遅れて受信されることになる。実際には、３Ｇフレームが受信されるタイミングは、ｔ０＋Ｔｄｅｌａｙ１であり、ＷｉＭＡＸフレームが受信されるタイミングは、ｔ０＋Δｔｏｆｆ＋Ｔｄｅｌａｙ１である。
【００２９】
そのため、セルサーチは、受信されたタイミングより早く開始することが必要となる。
【００３０】
また、ＷｉＭＡＸ通信を行うＷｉＭＡＸ基地局３００に対するセルサーチを効率的に行うために、その終了時間を適切に設定することが必要となる。その概念について、図４を用いて説明する。図４は、携帯通信端末１００とＷｉＭＡＸ基地局３００との位置関係を示す説明図である。図４に示すように、携帯通信端末１００ｘは、ＷｉＭＡＸ基地局３００の近傍に位置し、携帯通信端末１００ｙは、ＷｉＭＡＸ基地局３００の通信エリア線上のセル端（境界線近傍）に位置することを示している。伝搬遅延を考慮すると、携帯通信端末１００ｘより携帯通信端末１００ｙのほうが、基地局３００から送信される信号が到達するまでの時間がかかる。
【００３１】
携帯通信端末１００ｘおよび携帯通信端末１００ｙにおける伝搬遅延について図５に示す。図５に示すように、３Ｇ通信方式の３Ｇ基地局２００の送信タイミングｔ０を基準にすると、携帯通信端末１００ｘでは、ｔｏ＋Δｔｏｆｆ＋Ｔｄｅｌａｙ_ｘが受信タイミングとなり、携帯通信端末１００ｙでは、ｔｏ＋Δｔｏｆｆ＋Ｔｄｅｌａｙ_ｙが受信タイミングとなる。よって、携帯通信端末１００ｙの位置における受信タイミングが最大伝搬遅延時間Ｔｍｄとなる位置となる。
【００３２】
よって、セルサーチの終了時間は、その最大伝搬遅延時間Ｔｍｄを考慮して定めるべきである。これらを考慮すると、セルサーチするタイミングとしては、図６に示すように、ｔｏ＋Δｔｏｆｆ−Ｔｄｅｌａｙ１からｔｏ＋Δｔｏｆｆ＋Ｔｍｄまでの間とすることで、必要最小限のセルサーチを行うことができる。
【００３３】
以下に、このような必要最小限のセルサーチを行うための携帯通信端末１００および基地局２００の構成および動作について説明する。
【００３４】
図７は、本実施形態の通信システム１０の携帯通信端末１００の機能を示すブロック図である。この携帯通信端末１００は、アンテナ１０１ａ、送受信部１０１（第１の通信手段）、制御部１０２（伝搬遅延測定部１０３、近隣基地局情報取得部１０４（取得手段）、通知部１０５（通知手段）：制御手段）、アンテナ１０６ａ、送受信部１０６（第２の通信手段）、制御部１０７（セルサーチ部１０８、セルサーチ時間算出部１０９（算出手段）：制御手段）、外部インタフェース１１０を含んで構成されている。この携帯通信端末１００は、以下に説明するハードウェアにより構成されている。
【００３５】
図８は、携帯通信端末１００のハードウェア構成図である。図８に示される携帯通信端末１００は、物理的には、図８に示すように、ＣＰＵ１１、主記憶装置であるＲＡＭ１２及びＲＯＭ１３、入力デバイスであるキーボード及びマウス等の入力装置１４、ディスプレイ等の出力装置１５、ネットワークカード等のデータ送受信デバイスである通信モジュール１６、ハードディスク等の補助記憶装置１７などを含むコンピュータシステムとして構成されている。図７において説明した各機能は、図８に示すＣＰＵ１１、ＲＡＭ１２等のハードウェア上に所定のコンピュータソフトウェアを読み込ませることにより、ＣＰＵ１１の制御のもとで入力装置１４、出力装置１５、通信モジュール１６を動作させるとともに、ＲＡＭ１２や補助記憶装置１７におけるデータの読み出し及び書き込みを行うことで実現される。以下、図７に示す機能ブロックに基づいて、各機能ブロックを説明する。
【００３６】
送受信部１０１は、アンテナ１０１ａを介して３Ｇ基地局２００と通信接続する部分であり、３Ｇ通信方式を用いた通信を実行する部分である。
【００３７】
制御部１０２は、携帯通信端末１００における３Ｇ通信方式を実行・制御する部分であり、伝搬遅延測定部１０３、近隣基地局情報取得部１０４および通知部１０５を含んで構成されている。
【００３８】
ここで伝搬遅延測定部１０３は、携帯通信端末１００と３Ｇ基地局２００との間の伝搬遅延を測定するために用いられる部分であり、例えば３Ｇ基地局２００においてＲＴＴ（Round Trip Time）を測定する際に、３Ｇ基地局２００からの送信に対する応答を行う部分である。
【００３９】
近隣基地局情報取得部１０４は、３Ｇ基地局２００から通知される近隣のＷｉＭＡＸ通信を実行可能なＷｉＭＡＸ基地局３００の基地局情報を取得する部分である。ここでは、基地局情報として、ＷｉＭＡＸ通信を行うことができる基地局３００の有無、基地局３００におけるプリアンブルの送信タイミング（すなわち、３Ｇ通信における先頭フレームと、ＷｉＭＡＸ通信における先頭フレームとの時間差Δｔｏｆｆ）、ＷｉＭＡＸ基地局３００のセルの半径を示すセルサイズ情報Ｒ、ＷｉＭＡＸ基地局３００の送信電力、ＷｉＭＡＸ基地局３００のセル端における最大伝搬遅延時間Ｔｍｄ、および伝搬遅延測定部２０３において測定した、３Ｇ通信エリアにおける携帯通信端末１００と３Ｇ基地局２００との間の伝搬遅延時間Ｔｄｅｌａｙ１が取得される。
【００４０】
通知部１０５は、ＷｉＭＡＸ通信方式をサポートしている旨の機能情報を３Ｇ基地局２００に通知する部分である。３Ｇ基地局２００は、この旨を受けると、携帯通信端末１００に対してセルサーチを効率的に行うための基地局情報を送受信部１０１を介して送信する。
【００４１】
送受信部１０６は、アンテナ１０６ａを介して、ＷｉＭＡＸ通信を実行可能なＷｉＭＡＸ基地局３００と通信する部分である。
【００４２】
制御部１０７は、携帯通信端末１００におけるＷｉＭＡＸ通信方式を制御・実行する部分であり、制御部１０２において取得された基地局情報に基づいて、セルサーチを行うよう送受信部１０６を制御する。この制御部１０７は、セルサーチ部１０８、セルサーチ時間算出部１０９を含んで構成されている。
【００４３】
セルサーチ部１０８は、送受信部１０６を用いて基地局３００をサーチする制御を行う部分である。このセルサーチ部１０８は、セルサーチ時間算出部１０９において算出された、セルサーチの開始時間ｔ０＋Δｔｏｆｆ−Ｔｄｅｌａｙ１、セルサーチの終了時間ｔ０＋Δｔｏｆｆ＋Ｔｍｄにしたがって、セルサーチを行う。すなわち、セルサーチ部１０８は、３Ｇ基地局２００から送信される送信フレームの先頭が検出されると、その検出した時点に基づいて、時間差ΔｔｏｆｆおよびＴｄｅｌａｙ１で補正し、開始時間を算出する。
【００４４】
セルサーチ時間算出部１０９は、セルサーチを効率的に行うために、そのセルサーチを実行する時間を算出する部分であり、セルサーチの開始時間と終了時間とを算出する部分である。具体的には、セルサーチ時間算出部１０９は、３Ｇ通信方式における先頭フレームの送信タイミングｔ０、この送信タイミングに対するＷｉＭＡＸ通信方式における先頭フレームの送信タイミングの時間差Δｔｏｆｆ、３Ｇ通信エリアにおける伝搬遅延時間Ｔｄｅｌａｙ１、ＷｉＭＡＸ基地局３００のセルサイズ情報Ｒを算出し、これら情報に基づいてセルサーチの開始時間をｔ０＋Δｔｏｆｆ−Ｔｄｅｌａｙ１とし、セルサーチの終了時間をｔ０＋Δｔｏｆｆ＋Ｔｍｄとする。ここで、送信タイミングｔ０と表記しているが、これは概念上記載しているものであって、実際には上述したとおり３Ｇ基地局２００から送信された送信フレームが検出されるごとに、その検出時点に対してΔｔｏｆｆ−Ｔｄｅｌａｙ１で示される時間を開始時間とし、Δｔｏｆｆ＋Ｔｍｄを終了時間とする。この送信フレームは、複数送信されるものであり、送信フレームの先頭を検出するごとに、ここで定めた開始時間から終了時間までセルサーチを行うことになる。
【００４５】
なお、Ｔｍｄは、最大伝搬遅延時間であって、セルサイズ情報Ｒに基づいて算出される。例えば、セルサーチ時間算出部１０９は、セルサイズ情報Ｒとしてセルの半径が示されている場合には、その半径を光速（光の速さ）で除算することにより最大伝搬遅延時間Ｔｍｄを算出することができる。また、セルサイズ情報Ｒの大きさに応じた伝搬遅延時間を定めたマッピングテーブルを備えておき、セルサイズ情報Ｒに対応した最大伝搬遅延時間Ｔｍｄを算出するようにしてもよい。なお、セルサーチ時間算出部１０９において、最大伝搬遅延時間Ｔｍｄを算出することなくＷｉＭＡＸ基地局３００において算出された最大伝搬遅延時間Ｔｍｄを受信するようにしてもよい。
【００４６】
外部インタフェース１１０は、ユーザが携帯通信端末１００を操作するための操作部分、情報をユーザに対して表示するためのディスプレイなどから構成されている。
【００４７】
図９は、本実施形態の通信システム１０を構成する基地局２００の機能を示すブロック図である。図９に示すように、基地局２００は、アンテナ２０１ａ、送受信部２０１、制御部２０２（伝搬遅延測定部２０３、近隣基地局情報通知部２０４）、およびＮＷインタフェース２０５を含んで構成されている。以下、各機能について説明する。
【００４８】
送受信部２０１は、携帯通信端末１００に対して、アンテナ２０１ａを介して通信接続する部分であり、各種情報を送信し、また携帯通信端末１００から情報を受信する部分である。
【００４９】
制御部２０２は、基地局を制御する部分であって、伝搬遅延測定部２０３および近隣基地局情報通知部２０４を含んでいる。このうち、伝搬遅延測定部２０３は、携帯通信端末１００との間での伝搬遅延を測定する部分であり、例えばＲＴＴ（Round Trip Time）を測定する部分であって、送受信部２０１が携帯通信端末１００に対してデータを送信し、その応答を受信する時間を計算することにより、伝搬遅延時間を計算することができる。
【００５０】
また、近隣基地局情報通知部２０４は、送受信部２０１を介して、ＷｉＭＡＸ通信方式をサポートしている旨の機能情報を携帯通信端末１００から受信すると、その旨を伝搬遅延測定部２０３に通知するとともに、ここで測定された伝搬遅延時間Ｔｄｅｌａｙ１、ＷｉＭＡＸ基地局３００に関する基地局情報を、送受信部２０１を介して携帯通信端末１００に通知する部分である。ここでは、ＷｉＭＡＸ基地局３００の有無、ＷｉＭＡＸ基地局３００におけるプリアンブル部分の送信タイミング（すなわち、３Ｇ通信における先頭フレームとＷｉＭＡＸ通信における先頭フレームとの時間差である時間差Δｔｏｆｆ）、ＷＩＭＡＸ基地局３００のセルサイズ情報Ｒ、ＷｉＭＡＸ基地局３００の送信電力、ＷｉＭＡＸ基地局３００のセル端における最大伝搬遅延時間、および伝搬遅延測定部２０３において測定した、３Ｇ通信エリアにおける伝搬遅延時間Ｔｄｅｌａｙ１を通知する。これら情報（伝搬遅延時間Ｔｄｅｌａｙ１を除く）は、予めＮＷインタフェース２０５を介して取得された情報であって、図示しないメモリに記憶されている。
【００５１】
さらに、近隣基地局情報通知部２０４は、上述基地局情報とともに、セルサーチを行う旨の指示情報を携帯通信端末１００に送信する。携帯通信端末１００では、当該指示情報を受けることにより、セルサーチを実行することができる。
【００５２】
ＮＷインタフェース２０５は、ネットワークと接続する部分であり、このＮＷインタフェース２０５を介して、３Ｇ基地局２００は移動体通信を構成する交換機、加入者記憶サーバ、認証サーバ、他の基地局等と接続する。
【００５３】
このように構成された携帯通信端末１００および３Ｇ基地局２００との間の処理について説明する。図１０は、携帯通信端末１００および３Ｇ基地局２００との処理を示すシーケンス図である。携帯通信端末１００において、ＷｉＭＡＸ通信方式をサポートしている旨が通知部１０５により通知される（Ｓ０１）。３Ｇ基地局２００では、その旨を受信すると、伝搬遅延測定部２０３により伝搬遅延時間Ｔｄｅｌａｙ１の測定が行われる（Ｓ０２）。
【００５４】
伝搬遅延時間Ｔｄｅｌａｙ１の測定が行われると、ＷｉＭＡＸ基地局３００に対するセルサーチを行う旨の指示、測定された伝搬遅延時間Ｔｄｅｌａｙ１およびＷｉＭＡＸ基地局３００の基地局情報が近隣基地局情報通知部２０４により通知される（Ｓ０３）。携帯通信端末１００では、これら情報を受信すると、ＷｉＭＡＸ基地局３００に対するセルサーチが行われる。このセルサーチを行うにあたって、必要最小限のセルサーチを行う必要がある。その必要最小限のセルサーチを行うための詳細処理について図１１を用いて説明する。図１１は、携帯通信端末１００におけるセルサーチを行う期間を算出するための処理を示すフローチャートである。
【００５５】
３Ｇ基地局２００から、ＷｉＭＡＸ基地局３００に関する基地局情報が送受信部２０１を介して、近隣基地局情報取得部１０４により受信される。具体的には、基地局情報として、ＷｉＭＡＸ基地局３００における送信フレームのプリアンブル部分の送信タイミングｔ０＋Δｔｏｆｆ、３Ｇ通信エリアにおける伝搬遅延時間Ｔｄｅｌａｙ１、ＷｉＭＡＸ基地局３００のセルサイズ情報Ｒが受信される（Ｓ１０１）。
【００５６】
これら受信された情報のうちセルサイズ情報Ｒに基づいて、最大伝搬遅延時間Ｔｍｄがセルサーチ時間算出部１０９により算出される（Ｓ１０２）。そして、セルサーチの開始時間ｔ０＋Δｔｏｆｆ−ｔｄｅｌａｙ１、およびセルサーチの終了時間ｔ０＋Δｔｏｆｆ＋ｔｍｄが、セルサーチ時間算出部１０９により算出される（Ｓ１０３、Ｓ１０４）。
【００５７】
これら算出された開始時間および終了時間に従って、セルサーチ部１０８によりセルサーチが実行される（Ｓ１０５）。そして、終了時間までにＷｉＭＡＸ基地局３００が発見されると（Ｓ１０６：ＹＥＳ）、当該発見されたＷｉＭＡＸ基地局３００に対して通信接続が行われる（Ｓ１０７）。また、終了時間までにＷｉＭＡＸ基地局３００が発見されないと（Ｓ１０６：ＮＯ）、再度セルサーチの開始時間になることをまって、すなわち３Ｇ通信方式におけるつぎの送信フレームの先頭を検出すると、Δｔｏｆｆ−Ｔｄｅｌａｙ１をまってセルサーチが行われる。（Ｓ１０５）。
【００５８】
このようにセルサーチする時間を絞ることにより、無駄にセルサーチを行うことなく、消費電力を低減することができるとともに、ＣＰＵ負荷を低減することができる。
【００５９】
つぎに、本実施形態の通信システム１０の変形例について説明する。この変形例によると、上述実施形態では、セルサーチ時間を携帯通信端末１００において計算していたが、３Ｇ基地局２００ａにおいてセルサーチ時間を計算させ、携帯通信端末１００ａは３Ｇ基地局２００において計算されたセルサーチ時間に基づいてセルサーチを行おうとするものである。以下、各構成について説明する。
【００６０】
図１２は、変形例である携帯通信端末１００ａの機能を示すブロック図である。図１２に示すように、携帯通信端末１００ａは、アンテナ１０１ａ、送受信部１０１、制御部１０２（伝搬遅延測定部１０３、セルサーチ時間取得部１０４ｘ、通知部１０５）、アンテナ１０６ａ、送受信部１０６、制御部１０７（セルサーチ部１０８）、外部インタフェース１１０を含んで構成されている。この携帯通信端末１００は、上述実施形態と比較して、セルサーチ時間算出部１０９がない代わりに、セルサーチ時間取得部１０４ｘを備えている。
【００６１】
このセルサーチ時間取得部１０４ｘは、３Ｇ基地局２００ａにおいて計算されたセルサーチ時間を、送受信部１０１を介して取得する部分である。そして、セルサーチ部１０８は、セルサーチ時間取得部１０４ｘにより取得されたセルサーチ時間に従ってセルサーチを行うことができる。
【００６２】
つぎに、このセルサーチ時間を算出することができる３Ｇ基地局２００ａについて説明する。図１３は、変形例である３Ｇ基地局２００ａの機能を示すブロック図である。この変形例の３Ｇ基地局２００ａは、アンテナ２０１ａ、送受信部２０１、制御部２０２（伝搬遅延測定部２０３、セルサーチ時間算出部２０６、セルサーチ指示部２０７）、ＮＷインタフェース２０５を含んで構成されている。以下、各構成について説明する。
【００６３】
セルサーチ時間算出部２０６は、セルサーチ時間を算出するものであり、上述実施形態におけるセルサーチ時間算出部１０９と同じ処理を行うことにより、セルサーチの開始時間ｔ０＋Δｔｏｆｆ−ｔｄｅｌａｙ１、およびセルサーチの終了時間ｔ０＋Δｔｏｆｆ＋ｔｍｄを算出することができる。
【００６４】
セルサーチ指示部２０７は、セルサーチ時間算出部２０６により算出されたセルサーチ時間（開始時間、終了時間）およびセルサーチを行う旨を示す指示情報を、送受信部２０１を介して、携帯通信端末１００ａに送信する部分である。
【００６５】
このようにして構成された携帯通信端末１００ａおよび３Ｇ基地局２００ａを含んだ通信システム１０の処理について説明する。
【００６６】
図１４は、本実施形態の変形例における通信システム１０の処理を示すシーケンス図である。携帯通信端末１００からＷｉＭＡＸをサポートしている旨が、３Ｇ基地局２００ａに対して通知される（Ｓ２０１）。３Ｇ基地局２００ａでは、伝搬遅延測定部２０３により伝搬遅延時間が測定され（Ｓ２０２）、セルサーチ時間算出部２０６により、セルサーチの開始時間および終了時間が算出される（Ｓ２０３）。ここで算出されたセルサーチの開始時間および終了時間は、セルサーチを行う旨を示す指示情報とともに、セルサーチ指示部２０７により、携帯通信端末１００ａに送信される（Ｓ２０４）。
【００６７】
この変形例によれば、セルサーチ時間を算出する機能を３Ｇ基地局２００ａ側にもたせることができ、セルサーチを効率的に行うことができるとともに、携帯通信端末１００ａの機能を簡易なものとすることができる。
【００６８】
つぎに、第２の変例について説明する。図１５は、第２の変形例における３Ｇ基地局２００ｂの機能を示すブロック図である。この第２の変形例では、３Ｇ基地局２００ｂは、ＷｉＭＡＸ基地局２００ａの機能を有するものである。すなわち、３Ｇ基地局２００ｂは、３Ｇ基地局２００に備えられている構成であるアンテナ２０１ａ、送受信部２０１、制御部２０２（伝搬遅延測定部２０３、近隣基地局情報通知部２０４）、ＮＷインタフェース２０５のほかに、アンテナ２０８ａ、ＷｉＭＡＸ受信部２０８、近隣ＷｉＭＡＸ基地局検出部２０９を含んで構成されている。
【００６９】
ＷｉＭＡＸ受信部２０８は、３Ｇ基地局２００ｂの近隣に位置するＷｉＭＡＸ基地局（図示せず）の基地局情報を受信する部分である。このＷｉＭＡＸ受信部２０８は、近隣のＷｉＭＡＸ基地局に対して基地局情報の要求を出力し、その応答として基地局情報を受信するようにしてもよいし、また、近隣のＷｉＭＡＸ基地局から周期的に送信される基地局情報を受信するようにしてもよい。
【００７０】
近隣ＷｉＭＡＸ基地局検出部２０９は、ＷｉＭＡＸ受信部２０８により受信された基地局情報を検出し、検出された基地局情報を近隣基地局情報通知部２０４に出力する。近隣基地局情報通知部２０４は、近隣ＷｉＭＡＸ基地局検出部２０９により検出された基地局情報を携帯通信端末１００に送信することができる。
【００７１】
このようにして、３Ｇ基地局２００ｂは、近隣に位置するＷｉＭＡＸ基地局の基地局情報を収集することができる。
【００７２】
つぎに、第３の変形例について説明する。この第３の変形例では、３Ｇ基地局２００は誤差のない絶対時刻を計測または取得することができるものであり、この時刻を用いてセルサーチ時間を算出しようとするものである。
【００７３】
図１６は、第３の変形例における携帯通信端末１００ｃの機能を示すブロック図である。図１６に示すように、この携帯通信端末１００ｃは、携帯通信端末１００の構成（セルサーチ時間算出部１０９、伝搬遅延測定部１０３は除く）に加えて、セルサーチ時間算出部１０９ａ、アンテナ１１１ａ、ＧＰＳ受信機１１１、時刻同期処理部１１２を備えている。すなわち、携帯通信端末１００ｃは、アンテナ１０１ａ、送受信部１０１、制御部１０２（近隣基地局情報取得部１０４、通知部１０５）、アンテナ１０６ａ、送受信部１０６、制御部１０７（セルサーチ部１０８、セルサーチ時間算出部１０９ａ）、外部インタフェース１１０、アンテナ１１１ａ、ＧＰＳ受信機１１１、時刻同期処理部１１２（同期手段）を含んで構成されている。
【００７４】
ＧＰＳ受信機１１１は、アンテナ１１１ａを介して、ＧＰＳ衛星から電波を受信するとともに、時刻情報を受信する部分である。この時刻情報は、誤差のない高精度の時刻を表した情報である。
【００７５】
時刻同期処理部１１２は、ＧＰＳ受信機１１１により受信された時刻情報に基づいて同期処理を行う部分である。なお、ここではＧＰＳ受信機１１１により取得された時刻情報に基づいて時刻の同期処理を行っているが、これに限定するものではなく、３Ｇ基地局２００から高精度の時刻情報を取得するようにしてもよいし、そのほか誤差のない絶対時刻を計時または取得するものであればよい。その場合、ＧＰＳ機能は不要となる。
【００７６】
セルサーチ時間算出部１０９ａは、アンテナ１０１ａを介して送受信部１０１により受信された３Ｇ基地局２００から受信された送信フレームに基づいて、セルサーチ時間を算出する部分である。例えば、セルサーチ時間算出部１０９ａは、３Ｇ基地局２００から送信される送信フレームに含まれている時刻情報に基づいて送信フレームの送信タイミングｔ１を取得する。この送信タイミングｔ１は、送信フレームの送信時刻を表した情報であり、誤差のない高精度の時刻情報である。なお、送信タイミングｔ１は、予め携帯通信端末１００ｃ（例えばセルサーチ時間算出部１０９ａまたは別途構成されたメモリ（図示せず））に記憶されているものであってもよく、その場合には予め記憶されている送信タイミングｔ１を用いて、セルサーチ時間算出部１０９ａはセルサーチ時間を算出する。
【００７７】
一方、近隣基地局情報取得部１０４は、セルサーチ時間を算出するに先立って、３Ｇ基地局２００から基地局情報（時間差Δｔｏｆｆ、セルサイズ情報Ｒ）を受信する。そして、セルサーチ時間算出部１０９ａは、この送信タイミングｔ１、および時間差Δｔｏｆｆを用いてセルサーチの開始時間ｔ１＋Δｔｏｆｆを算出する。一方、セルサーチ時間算出部１０９ａは、セルサーチの終了時間ｔ１＋Δｔｏｆｆ＋ｔｍｄを算出する。
【００７８】
ここで、図１７を用いて、絶対時刻を用いたセルサーチ時間について説明する。図１７は、携帯通信端末１００における送信時刻ｔ１と時間差Δｔｏｆｆとの関係を示す説明図である。図１７では、携帯通信端末１００において管理している送信時刻ｔ１を基準にその時間差Δｔｏｆｆの位置に、ＷｉＭＡＸ基地局３００から送信フレームのプリアンブル部分が検出される（送信される）ことが示されている。
【００７９】
このように携帯通信端末１００ｃにおいて、絶対時刻を計測または取得することができる場合には、３Ｇフレームに含まれている送信タイミングから時間差Δｔｏｆｆだけずらしてセルサーチを行うようにすればよく、伝搬遅延を考慮する必要がなくなる。セルサーチの終了時間についても同様に、３Ｇ通信エリアにおける伝搬遅延を考慮する必要がなく、ＷｉＭＡＸ基地局３００における最大伝搬遅延時間Ｔｍｄを単に加算するだけで、終了時間ｔ１＋Δｔｏｆｆ＋Ｔｍｄを算出することができる。
【００８０】
この動作について図１８を用いて説明する。図１８は、第３の変形例の携帯通信端末１００ｃの動作を示すフローチャートである。近隣基地局情報取得部１０４により、３Ｇ基地局２００から基地局情報が取得される。ここでは、送信タイミングのズレを示す時間差Δｔｏｆｆ、セルサイズ情報Ｒが取得される（Ｓ３０１）。そして、セルサーチ時間算出部１０９ａにより、このセルサイズ情報Ｒに基づいて、最大伝搬遅延時間Ｔｍｄが算出され（Ｓ３０２）、セルサーチ時間算出部１０９ａによりセルサーチの開始時間および終了時間が算出される（Ｓ３０３、Ｓ３０４）
【００８１】
そして、セルサーチ部１０８により、算出された開始時間および終了時間にしたがってセルサーチが行われる（Ｓ３０５）。このセルサーチによって、ＷｉＭＡＸ基地局３００が発見されると、接続処理が行われる（Ｓ３０７）。終了時間までの間、ＷｉＭＡＸ基地局３００が発見されない場合には、再度開始時間までまってからセルサーチが実行される（Ｓ３０５）。
【００８２】
つぎに、本実施形態の携帯通信端末１００、およびその変形例である携帯通信端末１００ａ、１００ｃ、３Ｇ基地局２００ｂおよびこれら携帯通信端末を含んだ通信システム１０の作用効果について説明する。
【００８３】
本実施形態の携帯通信端末１００において、３Ｇ基地局２００から、送受信部１０１を介して、ＷｉＭＡＸ基地局３００の先頭データの送信タイミングを示す時間差Δｔｏｆｆ、および３Ｇ基地局２００における伝搬遅延時間Ｔｄｅｌａｙ１が受信される。そして、セルサーチ時間算出部１０９は、受信された送信タイミングおよび伝搬遅延時間に基づいて、セルサーチの開始時間ｔ０＋Δｔｏｆｆ−ｔｄｅｌａｙ１を算出し、セルサーチ部１０８は、当該開始時間から、送受信部１０６を用いてセルサーチを行うことができる。これにより、セルサーチ時間を制限することができ、セルサーチに要する電力消費およびＣＰＵ負荷を低減することができる。
【００８４】
なお、変形例である携帯通信端末１００ａにおいては、セルサーチ時間算出部１０９に代えて、セルサーチ時間取得部１０４ｘを備え、セルサーチ時間を算出する代わりに、セルサーチ時間を３Ｇ基地局２００ａから取得するようにしてもよく、何らかの方法によりセルサーチ時間が設定され、その設定されたセルサーチ開始時間に基づいてセルサーチを行うようにすればよい。
【００８５】
また、第２の変形例に示されるように３Ｇ基地局２００ｂが、近隣ＷｉＭＡＸ基地局検出部２０９を備え、近隣のＷｉＭＡＸ基地局３００の基地局情報を取得しておき、これを携帯通信端末１００に送信するようにしてもよい。
【００８６】
また、本実施形態の携帯通信端末１００において、セルサーチ時間算出部１０９は、送受信部１０１を介して近隣基地局情報取得部１０４がＷｉＭＡＸ基地局３００のセルサイズ情報Ｒを取得し、セルサーチ時間算出部１０９が、セルサイズ情報Ｒに基づいて、最大伝搬遅延時間Ｔｍｄを算出する。セルサーチ時間算出部１０９は、これら情報に基づいてセルサーチ時間の終了時間ｔ０＋ｔｄｅｌａｙ１＋Ｔｍｄを算出する。セルサーチ部１０８は、当該終了時間までセルサーチを実行することにより、セルサーチ時間を制限することができ、セルサーチに要する電力消費およびＣＰＵ負荷を低減することができる。
【００８７】
また、本実施形態の携帯通信端末１００において、３Ｇ基地局２００に対して、ＷｉＭＡＸ通信方式を実行可能であることを示す機能情報を通知することで、３Ｇ基地局２００は、この機能情報に対する応答として各種基地局情報を携帯通信端末１００に送信することができる。よって、必要な端末にのみセルサーチを短縮化させるための情報を通知することができ、効率的な処理を実現することができる。
【００８８】
また、第３の変形例である携帯通信端末１００ｃにおいて、時刻同期処理部１１２は、３Ｇ基地局２００およびＷｉＭＡＸ基地局３００における計時タイミングと同期するように、ＧＰＳ受信機１１１を用いて誤差のない高精度の時刻を計時するように同期処理を行う。そして、送受信部１０１により３Ｇ基地局２００からの先頭データの送信時刻ｔ１が受信されると、セルサーチ時間算出部１０９ａは、各種基地局情報および計時された時刻情報、ならびに送受信部１０１により受信されたＷｉＭＡＸ基地局３００の先頭データの送信タイミングを示す時間差Δｔｏｆｆ、若しくは予め記憶された時間差Δｔｏｆｆに基づいてセルサーチ時の開始時間ｔ１＋Δｔｏｆｆを設定する。そして、セルサーチ部１０８は、ＷｉＭＡＸ基地局３００に対してセルサーチを行うことができる。これにより、伝搬遅延を考慮する必要がなくなり、処理を簡易なものとすることができる。また、セルサーチ時間を制限することができ、セルサーチに要する電力消費およびＣＰＵ負荷を低減することができる。
【図面の簡単な説明】
【００８９】
【図１】本実施形態における通信システム１０の概念を示す概念図である。
【図２】３Ｇ通信方式の送信タイミングと、ＷｉＭＡＸ通信方式の送信タイミングとの関係を示す説明図である。
【図３】伝搬遅延の概念を示す説明図である。
【図４】携帯通信端末１００とＷｉＭＡＸ基地局３００との位置関係を示す説明図である。
【図５】携帯通信端末１００ｘおよび携帯通信端末１００ｙにおける伝搬遅延を示す説明図である。
【図６】セルサーチ期間を示す説明図である。
【図７】本実施形態の通信システム１０の携帯通信端末１００の機能を示すブロック図である。
【図８】携帯通信端末１００のハードウェア構成図である。
【図９】本実施形態の通信システム１０を構成する基地局２００の機能を示すブロック図である。
【図１０】携帯通信端末１００および３Ｇ基地局２００との処理を示すシーケンス図である。
【図１１】携帯通信端末１００におけるセルサーチを行う期間を算出するための処理を示すフローチャートである。
【図１２】変形例である携帯通信端末１００ａの機能を示すブロック図である。
【図１３】変形例である３Ｇ基地局２００ａの機能を示すブロック図である。
【図１４】本実施形態の変形例における通信システム１０の処理を示すシーケンス図である。
【図１５】第２の変形例における３Ｇ基地局２００ｂの機能を示すブロック図である。
【図１６】第３の変形例における携帯通信端末１００ｃの機能を示すブロック図である。
【図１７】携帯通信端末１００における送信時刻ｔ１と時間差Δｔｏｆｆとの関係を示す説明図である。
【図１８】第３の変形例の携帯通信端末１００ｃの動作を示すフローチャートである。
【符号の説明】
【００９０】
１０…通信システム、１００…携帯通信端末、１００ａ…携帯通信端末、１００ｃ…携帯通信端末、１００ｘ…携帯通信端末、１００ｙ…携帯通信端末、１０１…送受信部、１０１ａ…アンテナ、１０２…制御部、１０３…伝搬遅延測定部、１０４…近隣基地局情報取得部、１０４ｘ…セルサーチ時間取得部、１０５…通知部、１０６…送受信部、１０６ａ…アンテナ、１０７…制御部、１０８…セルサーチ部、１０９…セルサーチ時間算出部、１０９ａ…セルサーチ時間算出部、１１０…外部インタフェース、１１１…受信機、１１１ａ…アンテナ、１１２…時刻同期処理部、２００…３Ｇ基地局、２００ａ…３Ｇ基地局、２００ｂ…３Ｇ基地局、２０１…送受信部、２０１ａ…アンテナ、２０２…制御部、２０３…伝搬遅延測定部、２０４…近隣基地局情報通知部、２０５…インタフェース、２０６…セルサーチ時間算出部、２０６…受信部、３００…基地局。
【図１】
0004956484.tif 000002
【図２】
0004956484.tif 000003
【図３】
0004956484.tif 000004
【図４】
0004956484.tif 000005
【図５】
0004956484.tif 000006
【図６】
0004956484.tif 000007
【図７】
0004956484.tif 000008
【図８】
0004956484.tif 000009
【図９】
0004956484.tif 000010
【図１０】
0004956484.tif 000011
【図１１】
0004956484.tif 000012
【図１２】
0004956484.tif 000013
【図１３】
0004956484.tif 000014
【図１４】
0004956484.tif 000015
【図１５】
0004956484.tif 000016
【図１６】
0004956484.tif 000017
【図１７】
0004956484.tif 000018
【図１８】
0004956484.tif 000019